(57)【特許請求の範囲】
【請求項１】
第１活物質コーティング部と第１無地部で構成された第１極板と、
第２活物質コーティング部と第２無地部で構成された第２極板と、
前記第１及び第２極板は積層されて整列されるが、前記第１及び第２極板の間に介在されるセパレーターからなる電極組立体を含み、
前記第１無地部は、第２極板と対応する部位に絶縁部材が備えられ、
前記第１及び第２無地部は、それぞれ前記第１及び第２活物質コーティング部から延びて形成され、
前記絶縁部材は、前記第１無地部の上部面及び下部面を覆うように備えられることを特徴とする二次電池。
【請求項２】
前記第１極板の第１活物質コーティング部に隣接する第１無地部には、絶縁部材が備えられることを特徴とする請求項１に記載の二次電池。
【請求項３】
前記第１極板の第１無地部と絶縁部材はラミネート構造で備えられることを特徴とする請求項１に記載の二次電池。
【請求項４】
前記絶縁部材は、セルロース係フィルム、ＰＰまたはＰＩフィルムのうちいずれか一つ以上を含むことを特徴とする請求項１に記載の二次電池。
【請求項５】
前記絶縁部材は、前記絶縁部材上にセラミックスコーティング層をさらに含むことを特徴とする請求項１に記載の二次電池。
【請求項６】
前記セラミックスコーティング層は、Ａｌ２Ｏ３、ＢａＴｉＯ４、ＴｉＯ２及びＳｉＯ２のうちいずれか一つ以上を含むことを特徴とする請求項５に記載の二次電池。
【請求項７】
前記セラミックスコーティング層は、Ａｌ２Ｏ３、ＢａＴｉＯ４、ＴｉＯ２及びＳｉＯ２のうち二つの物質を混合して形成することを特徴とする請求項５に記載の二次電池。
【請求項８】
前記二つの物質は重量比で７:３ないし１:１で混合されることを特徴とする請求項７に記載の二次電池。
【請求項９】
前記絶縁部材の厚さは、第１活物質コーティング部の厚さ以下であることを特徴とする請求項１に記載の二次電池。
【請求項１０】
前記二次電池は、第１及び第２電極タップと、第１及び第２電極リードとをさらに含み、
前記第１及び第２電極タップは、それぞれ第１及び第２極板から延びて形成されるが、それぞれタップ融着部を含み、
前記タップ融着部は、前記第１電極タップと第１電極リードが融着されるかまたは前記第２電極タップと前記第２電極リードが融着される部分であることを特徴とする請求項１に記載の二次電池。
【請求項１１】
前記絶縁部材は、前記第１電極タップ上に備えられることを特徴とする請求項１０に記載の二次電池。
【請求項１２】
前記絶縁部材は、前記タップ融着部を除いた領域に備えられることを特徴とする請求項１０に記載の二次電池。
【請求項１３】
前記第１極板は、陽極板を含み、前記第２極板は陰極板を含み、前記第１電極タップは陽極タップを含み、前記第２電極タップは陰極タップを含み、前記第１電極リードは陽極リードを含み、前記第２電極リードは陰極リードを含むことを特徴とする請求項１０に記載の二次電池。
【請求項１４】
前記第２極板は、前記第１極板と同じであるかまたは前記第１極板に比べてもっと大きい面積を持つように形成されることを特徴とする請求項１に記載の二次電池。
【請求項１５】
前記第１及び第２電極タップの幅は、それぞれ前記第１及び第２極板の幅より狭い幅で備えられることを特徴とする請求項１０に記載の二次電池。
【請求項１６】
前記第１及び第２電極リードのうち少なくともいずれか一つは、リードフィルムをさらに含むことを特徴とする請求項１０に記載の二次電池。
【請求項１７】
前記絶縁部材の一部は、前記第２活物質コーティング部に対応する領域に整列されることを特徴とする請求項１に記載の二次電池。
【請求項１８】
前記セラミックスコーティング層は、Ａｌ２Ｏ３、ＢａＴｉＯ４、ＴｉＯ２及びＳｉＯ２のうち二つの物質を重量比で７:３ないし１:１で含むが、７はＡｌ２Ｏ３またはＴｉＯ２で、３は ＢａＴｉＯ４または ＳｉＯ２であることを特徴とする請求項８に記載の二次電池。
【発明の詳細な説明】
【技術分野】
【０００１】
本発明は、二次電池に関し、より具体的には安全性の向上した二次電池に関する。
【背景技術】
【０００２】
近年、ポータブル電子機器の電源として二次電池が多様に使用されている。また、ポータブル電子機器が多様な分野で使われつつ、高容量の二次電池に対する需要が急増している。このため、二次電池の安全性を高めるために多様な研究が進行されている。
【発明の概要】
【発明が解決しようとする課題】
【０００３】
上述した問題点を解決するために案出された本発明の目的は、高温で短絡などの発生しない二次電池を提供することである。また、本発明の他の目的は、陽極板及び陰極板の整列が容易な二次電池を提供することである。
【課題を解決するための手段】
【０００４】
上記のような目的を果たすための本発明の特徴によれば、前記二次電池は、基材に第１活物質がコーティングされた第１活物質コーティング部と第１無地部で構成された第１極板と、基材に第２活物質がコーティングされた第２活物質コーティング部と第２無地部で構成された第２極板と、前記第１及び第２極板に介在されるセパレーターとを含むが、前記第１及び第２極板は積層されて整列され、前記第１無地部は第２極板と対応する部位に絶縁部材が備えられる電極組立体と、を含む。
【０００５】
また、前記第１及び第２無地部は、前記第１及び第２極板で第１及び第２活物質がコーティングされない部分で、前記第１及び第２活物質コーティング部から延びて形成されうる。
【０００６】
また、前記第１極板の第１活物質コーティング部に隣接する第１無地部には絶縁部材が具備されうる。
【０００７】
また、前記第１無地部には第２極板と対応する部位に絶縁部材が具備されうる。
【０００８】
前記絶縁部材は、前記第１無地部の上部面及び下部面を覆うように備えることができる。
【０００９】
前記第１極板の第１無地部と絶縁部材はラミネート構造で備えることができる。
【００１０】
前記絶縁部材は、セルロース係フィルム、ＰＰまたはＰＩフィルムのうちいずれか一つ以上である。
【００１１】
前記絶縁部材は、前記絶縁部材上にセラミックスコーティング層をさらに含むことができる。この際、前記セラミックスコーティング層は、Ａｌ２Ｏ３、ＢａＴｉＯ４、ＴｉＯ２及びＳｉＯ２のうちいずれか一つ以上である。また、前記セラミックスコーティング層は、Ａｌ２Ｏ３、ＢａＴｉＯ４、ＴｉＯ２及びＳｉＯ２のうち二つの物質を重量比で７:３または５:５で混合して形成することができる。
【００１２】
前記セラミックスコーティング層は、Ａｌ２Ｏ３、ＢａＴｉＯ４、ＴｉＯ２及びＳｉＯ２のうち二つの物質を重量比で７:３ないし１:１で含むが、７はＡｌ２Ｏ３または ＴｉＯ２で、３は ＢａＴｉＯ４または ＳｉＯ２でありえる。
【００１３】
前記絶縁部材は、タップ融着部を除いた領域に具備されうる。
【００１４】
前記絶縁部材の厚さは、第１活物質コーティング部の厚さ以下でありえる。
【００１５】
前記絶縁部材の一部は、前記第２活物質コーティング部に対応する領域に整列されうる。
【発明の効果】
【００１６】
以上のように、本発明によれば、高温でも安定的に使用できる積層型二次電池を提供することができる。また、本発明によれば、陽極板及び陰極板の整列が容易であり、生産性の向上された積層型二次電池を提供することができる。
【図面の簡単な説明】
【００１７】
【図１】本発明の好ましい実施例による二次電池の分解斜視図である。
【図２】図１の電極組立体の上部面を示した図面である。
【図３】本実施例による陽極板の断面を示した図面である。
【図４】本発明の他の実施例による電極組立体の上部面を示した図面である。
【図５】本発明のまた他の実施例による電極組立体の上部面を示した図面である。
【発明を実施するための形態】
【００１８】
その他、本実施例の具体的な事項は詳細な説明及び図面に含まれている。本発明の利点及び特徴、そしてそれらを果たす方法は、添付される図面と共に詳細に後述されている実施例を参照すれば明確になる。しかし、発明は以下開示される実施例に限定されるものではなく、互いに異なる多様な形態に具現することができ、以下の説明である部分が他の部分に連結されているとした時、これは直接的に連結されている場合のみならず、その中間に他の素子を間に置いて電気的に連結されている場合をも含む。また、図面で本発明と関係ない部分は、本発明の説明を明確にするために略しており、明細書全体を通じて類似な部分に対しては同じ図面符号を付けている。以下、添付された図面を参考して本発明につい詳細に説明する。
【００１９】
図１ないし図３は、本発明による好ましい実施例を示した図面である。図１は、本発明の好ましい実施例による二次電池の分解斜視図を示した図面である。図２は、図１の電極組立体の上部面を示した図面である。
【００２０】
本発明の好ましい実施例による二次電池１０は、基材に第１活物質がコーティングされた第１活物質コーティング部１１２と第１無地部１１１で構成された第１極板１１０と、基材に第２活物質がコーティングされた第２活物質コーティング部１２２と第２無地部１２１で構成された第２極板１２０、及び前記第１及び第２極板１１０、１２０に介在されるセパレーター１３０を含むが、前記第１及び第２極板１１０、１２０は積層されて整列され、前記第１無地部１１１は第２極板１２０と対応する部位に絶縁部材５０が備えられる電極組立体１００を含む。
【００２１】
第１及び第２無地部１１１、１２１は、第１及び第２極板１１０、１２０で第１及び第２活物質がコーティングされない部分で、前記第１及び第２活物質コーティング部１１２、１２２から延びて形成されうる。また、電極組立体１００は、第１及び第２電極タップ１１１ａ、１２１ａをさらに含むことができ、第１及び第２電極タップ１１１ａ、１２１ａは、電極組立体１００の一側から引き出されて互いに離隔されるように具備されうる。
【００２２】
図１を参照すれば、本実施例による積層型二次電池１０は、電池ケース２０に電解液（示せず）のように前記電極組立体１００を収納して製作することができる。
【００２３】
電池ケース２０は、電極組立体１００を収容する本体と、本体を覆うカバーで構成される。前記本体の端側には密封部２１が具備されうる。本発明による積層型二次電池１０は、電極組立体１００とともに電解液を電池ケース２０の本体に収容させた後、本体とカバーを密着させた状態で密封部２１を熱融着して製作することができる。
【００２４】
電極組立体１００において、第１及び第２電極リード３０、４０は、第１及び第２電極タップ１１１ａ、１２１ａと融着部３１、４１を形成することができる。第１及び第２電極リード３０、４０は、電池ケース２０の密封部２１を介して外部に突出されるように具備され、二次電池２０を外部と電気的に連結する役目をする。また、第１及び第２電極リード３０、４０はリードフィルム３２、４２をさらに含むことができる。
【００２５】
前記リードフィルム３２、４２は、それぞれの電極リード３０、４０が電池ケース２０の密封部２１と接する部位に具備することができる。このように具備されたリードフィルム３２、４２は、電池ケース２０の密封部２１を熱融着する場合に発生しえる第１及び第２電極リード３０、４０と密封部２１との短絡を予防することができ、同時に前記密封部２１の密着力を増大させて電池ケース２０の外部へ電解液が流出されることを防止することができる。
【００２６】
前記電池ケース２０に収容される電解液（示せず）は、リチウムイオンの供給源として作用するリチウム塩と、電気化学的反応に関与するイオンが移動することができる媒質の役目をする非水性有機溶媒を含むことができる。電極組立体１００を構成する第１及び第２極板１１０、１２０は、電解液と反応して電気化学的エネルギーを発生することができ、前記電気化学的エネルギーは電極リード３０、４０を介して外部へ伝達することができる。
【００２７】
図１を参照すれば、本発明による電極組立体１００は複数個の第１及び第２極板１１０、１２０と、前記極板らの間に介在されるセパレーター１３０を積層して形成することができる。
【００２８】
図２は、図１に示した電極組立体１００の上部面を示した図面である。前記電極組立体１００は、これらを第１極板１１０及び第２極板１２０と前記極板らの間に介在されるセパレーター１３０を一単位体にしてこのような単位体が複数個積層された形態である。具体的に、前記単位体は一つの第２極板１２０と前記第２極板１２０に積層された第１極板１１０、及びこれらの極板の間に介在されたセパレーター１３０からなる。このような単位体の上にセパレーター１３０を介在しつつ、第２極板１２０と第１極板１１０の積層を繰り返し、本発明による電極組立体１００を製作することができる。この際、前記極板らの積層順序は電極組立体１００の設計によって適切に変形させることができる。
【００２９】
本発明において、第１極板１１０は陽極板になることが可能である。陽極板は基材に陽極活物質をコーティングして形成される第１活物質コーティング部１１２である陽極活物質コーティング部１１２と、前記陽極活物質をコーティングしていない第１無地部１１１で構成されうる。一般的に基材は、高い伝導性を持つ物質であり、化学的変化を誘発しないものなら特別に制限されない。前記陽極活物質コーティング部１１２を構成する陽極活物質はリチウムを含む層状化合物を含むことができる。
【００３０】
また、第２極板１２０は陰極板になることが可能である。陰極板は基材に陰極活物質をコーティングして形成される第２活物質コーティング部１２２である陰極活物質コーティング部１２２と、前記陰極活物質をコーティングしていない第２無地部１２１で構成されうる。前記基材は伝導性の金属も可能であり、陰極活物質コーティング部１２２に備えられる陰極活物質としては黒鉛などを含むことができる。
【００３１】
第１及び第２無地部１１１、１２１は、前述したように、陽極板１１０及び陰極板１２０で陽極及び陰極活物質がコーティングされていない部分で、前記陽極活物質コーティング部１１２と陰極ファルムジルコーティング部１２２からそれぞれ延びて具備されうる。通常、前記第１及び第２無地部１１１、１２１はそれぞれの陽極及び陰極活物質コーティング部１１２、１２２とほぼ同一の幅に具備され、四角形の上端部を形成することができ、または打ち抜けすることで、一側が突き出された形態で形成することができるが、これに制限されるのではない。
【００３２】
また、前記陽極板１１０及び陰極板１２０は、それぞれの陽極及び陰極活物質コーティング部１１２、１２２の幅より狭い幅に具備することができる第１及び第２電極タップ１１１ａ、１２１ａを含むことができる。前記第１及び第２電極タップ１１１ａ、１２１ａは陽極板１１０及び陰極板１２０の一側を金型などを利用して打抜して形成することができる。通常、前記第１及び第２電極タップ１１１ａ、１２１ａは、極板らの第１及び第２無地部１１１、１２１を打抜して形成する。このように形成された第１及び第２電極タップ１１１ａ、１２１ａは、多様な形態で形成されうる。
【００３３】
例えば、陽極及び陰極活物質コーティング部１１２、１２２から突き出された四角形の形態で備えられるか、または前記第１及び第２無地部１１１、１２１から突き出された形態で具備されうる。また、前記第１及び第２電極タップ１１１ａ、１２１ａは、別途の部材を利用して前記陽極板１１０及び陰極板１２０の一側に付着されて前記極板らに備えられることも可能である。前記第１及び第２電極タップ１１１ａ、１２１ａは、複数個の積層された陽極板１１０及び陰極板１２０を同じ種類の極板同士で電気的に連結させることで、前記極板らの第１及び第２電極リード３０、４０との結合容易になるように備えられるもので、前述の形態及び方法によって制限されるものではない。
【００３４】
また、一般的に陰極活物質を、例えば、黒鉛を使用した場合、陰極板１２０は陽極板１１０と同じであるかまたは陽極板１１０に比べてもっと大きい面積を持つように形成することが好ましい。陰極板１２０を陽極板１１０に比べてより狭い面積で形成する場合には、充放電の際、陽極活物質に含まれるリチウムが析出されやすく、特に、これは前記二次電池１０の容量を減少させるだけでなく、高率充放電の際に二次電池１０の安全性を急激に劣化させる原因となることがありえる。したがって、図２に示したように、陽極板１１０及び陰極板１２０を積層する場合には、このような二次電池１０の容量と安全性を考慮して陰極板１２０が陽極板１１０に比べてもっと大きい面積を持つように製作することができる。また、前記極板らの間に介在されるセパレーター１３０は、前記陽極板１１０及び陰極板１２０の間の短絡を防止するために相対的により大きい極板である陰極板１２０に比べてさらに大きくなるように製作することが好ましい。
【００３５】
セパレーター１３０は、前記陽極板１１０及び陰極板１２０との間に介在され、これらの極板が直接対面して短絡されることを防止することができる。例えば、セパレーター１３０は高分子材料で形成することができ、高いイオン透過度と機械的強度を持つ絶縁性の薄い薄膜を使用することができる。
【００３６】
二次電池１０が高温に露出されれば、通常、高分子物質で形成されたセパレーター１３０は収縮することがある。このように収縮された前記セパレーター１３０は、前記陽極板１１０及び陰極板１２０の面積より縮まることがあり、したがって、極板らの一部が露出されて短絡されうる。また、前記陽極板１１０及び陰極板１２０はこれらの極板の間にセパレーター１３０を介在しながら積層して電極組立体１００を形成することができるが、この際、前記極板らの間に介在されたセパレーター１３０によって、陽極板１１０及び陰極板１２０の整列を合わせながら互いに対面するように極板らを整列しながら積層することが容易ではない。
【００３７】
このような場合には、極性の異なる陽極板１１０及び陰極板１２０お互いに直接接触して短絡されることがあるが、この際、陽極板１１０の第１無地部１１１側は前記陽極板１１０の端に位置し、前記陰極板１２０に接触しやすく、短絡に特に脆弱である。これを防止するために、前記第１無地部１１１には陰極板１２０と対応する部位に絶縁部材５０が具備されうる。また、前記第１無地部１１１に備えられる絶縁部材５０は、陽極活物質コーティング部１１２と隣接するように備えられることが好ましい。
【００３８】
前記陽極板１１０及び陰極板１２０において、その極板らに備えられる陽極及び陰極活物質コーティング部１１２、１２２は、短絡発生の時無地部に比べてもっと大きな発熱を発生しえるし、ひどい場合には前記二次電池１０を発火または爆発させることがある。
【００３９】
前記陽極活物質コーティング部１１２と隣接する部分は、セペレイト１３０を間に置いて陰極活物質コーティング部１２２と互いに向かい合うように積層されるので、相対的に短絡にさらに危険になるからである。また、前記第１無地部１１１打抜して第１電極タップ１１１ａを形成させる場合には、前記第１電極タップ１１１ａの少なくとも一部が陰極板１２０と対面することができる。この際、前記絶縁部材５０は第１電極タップ１１１ａ側にも具備されて前記極板らの短絡を防止することができる。
【００４０】
図３は、本実施例による陽極板１１０の側面図である。図３を参照すれば、陽極板１１０は基材１１３の上部面及び下部面に陽極活物質がコーティングされた陽極活物質コーティング部１１２と第１無地部１１１を含むことができる。前記第１無地部１１１には絶縁部材５０が具備されうるし、前記絶縁部材５０は第１無地部１１１の上部面及び下部面を覆うように備えられることが好ましい。
【００４１】
一般に、二次電池１０の体積当たりの容量を最大化するために陽極板１１０及び陰極板１２０の基材の上部面及び下部面すべてに陽極及び陰極活物質コーティング部１１２、１２２が具備されている。この際、絶縁部材５０が第１無地部１１１の上部面または下部面のいずれか一側のみに具備されれば、前記絶縁部材５０が具備されていない側は、陽極板１１０と陰極板１２０が対面して短絡に脆弱なことがある。また、前記絶縁部材５０がいずれか一側のみに具備されていれば、前記絶縁部材５０が具備されている面と前記絶縁部材５０が具備されていない面との間には、前記絶縁部材５０による厚さの差があり得て、これは前記極板らの積層を邪魔することがありえる。
【００４２】
また、前記第１無地部１１１に備えられる絶縁部材５０の厚さｘは、陽極活物質コーティング部１１２の厚さ以下に備えられることが好ましい。具体的に、基材１１３の上部面及び下部面にそれぞれ備えられる陽極活物質コーティング部１１２の厚さが相異なっている場合には、前記絶縁部材５０の厚さｘは絶縁部材５０と同一面に備えられる陽極活物質コーティング部１１２の厚さｙによって決定される。
【００４３】
絶縁部材５０の厚さｘが陽極活物質コーティング部１１２の厚さｙを超過すれば、絶縁部材５０が備えられる所は、前記絶縁部材５０と陽極活物質コーティング部１１２の厚さの差ほど相対的にもっと厚さが増加するようになる。したがって、複数個の極板を積層する際、均衡を合わせることが容易でなく、かつ、前記積層された極板らの間のオ整列に問題が起こりえる。また、極板らを複数積層するため、それぞれの陽極板１１０に備えられる絶縁部材５０の累積された厚さによって、電池ケース２０の密封を邪魔することがあり、これによって電解液の漏出などの問題が発生しえる。
【００４４】
本実施例では基材１１３の上部面及び下部面に備えられる陽極活物質コーティング部１１２の厚さｙを同一にしたが、前記厚さｙは相異なっていることがあり、またこれに制限されるのではない。陽極活物質コーティング部１１２の厚さｙが相異なっている場合には、前述のように絶縁部材５０の厚さｘは前記基材１１３の同一面に備えられる陽極活物質コーティング部１１２の厚さｙ以下に備えられるであろう。
【００４５】
絶縁部材５０は、薄膜の絶縁性を持つフィルムで、例えば、セルロース係フィルム、ＰＰまたはＰＩフィルムのうちいずれか一つ以上を使用することができる。
【００４６】
以下の実施例では、後述する内容を除き、図１ないし図３に基材した内容と類似であるからこれに対する詳しい説明は略する。
【００４７】
図４は、本発明の他の実施例による電極組立体２００を示した図面である。図４を参照すれば、本実施例による電極組立体２００は、陽極活物質コーティング部１１２と第１無地部１１１を具備した陽極板１１０と、前記陽極板１１０に積層されて、陰極活物質コーティング部１２２と第２無地部１２１を具備した陰極板１２０、及びこれらの極板の間に介在されるセパレーター１３０を含み、前記陰極板１２０と対応する第１無地部１１１及び第１電極タップ１１１ａには絶縁部材５１が具備されうる。
【００４８】
前記絶縁部材５１は、陰極板１２０との短絡を防止するために具備されうる。したがって、前記陰極板１２０と異なる極性を持って、前記陰極板１２０と対面する可能性の高い第１無地部１１１及び第１電極タップ１１１ａを全体的に覆うように備えられることが好ましい。
【００４９】
また、前記第１電極タップ１１１ａは、タップ融着部３１を含むことができる。タップ融着部３１は、前記第１電極タップ１１１ａと第１電極リード３０が融着される部分で、前述したようにレーザー溶接または抵抗溶接などによって形成することができる。この際、前記絶縁部材５１はタップ融着部２１を除いた領域に形成されることが好ましい。
【００５０】
前記タップ融着部３１に絶縁部材５１が具備されれば、第１電極タップ１１１ａに第１電極リード３０を溶接などを利用して融着させる場合、絶縁部材５１が損傷されることがあり、また、前記第１電極リード３０と第１電極タップ１１１ａとの融着が不完全に形成され、弱い衝撃によっても前記第１電極リード３０が第１電極タップ１１１ａから落ちやすい。したがって、絶縁部材５１は第１無地部１１１と第１電極タップ１１１ａの全体を覆うように備えられるが、前記第１電極タップ１１１ａ課題１電極リード３０が融着する部分であるタップ融着部３１を除いた領域に備えられることが好ましい。
【００５１】
図５は、本発明のまた他の実施例による電極組立体３００を示した図面である。図５を参照すれば、本実施例による二次電池を構成する電極組立体３００は、陽極活物質コーティング部１１２と第１無地部１１１を具備した陽極板１１０と、前記陽極板１１０に積層され、陰極活物質コーティング部１２２と第２無地部１２１とを具備した陰極板１２０、及びこれらの極板の間に介在されるセパレーター１３０を含み、前記陰極板１２０と対応する第１無地部１１１には絶縁部材５２上にセラミックスコーティング層をさらに含む絶縁部材５２が具備されうる。
【００５２】
前記第１極板１１０の第１無地部１１１と絶縁部材５２は、ラミネート構造で具備されうる。前記絶縁部材５２の一部は、前記第２活物質コーティング部１２２に対応する領域に整列されうる。
【００５３】
前記セラミックスコーティング層をさらに含む絶縁部材５２は、例えば、セルロース係フィルム、ＰＰまたはＰＩフィルムのうちいずれか一つ以上可能であり、これらの高分子フィルムにセラミックスコーティング層を含むのである。例えば、前記セラミックスコーティング層は、Ａｌ２Ｏ３、ＢａＴｉＯ４、ＴｉＯ２及びＳｉＯ２のうちいずれか一つ以上で形成されうる。また、前記セラミックスコーティング層は、前述のＡｌ２Ｏ３、ＢａＴｉＯ４、ＴｉＯ２及びＳｉＯ２のうち二つの物質を重量比で７:３または５:５で混合して形成されうる。前記セラミックスコーティング層は、Ａｌ２Ｏ３、ＢａＴｉＯ４、ＴｉＯ２及びＳｉＯ２のうち二つの物質を重量比で７:３ないし１:１で含むが、７はＡｌ２Ｏ３または ＴｉＯ２で、３は ＢａＴｉＯ４または ＳｉＯ２でありえる。
【００５４】
前述したように、前記絶縁部材５２としては、通常高分子フィルムが使用可能であり、前記高分子フィルムはその特性から熱に脆弱なことがある。したがって、前記絶縁部材５２を利用する二次電池を高温で長期間露出させた場合、前記絶縁部材５２の収縮が起こりえる。一方、セラミックスは高温での変形がほとんどなくて安定的に使用可能な材料である。絶縁部材５２にセラミックスコーティング層をさらに含ませることで、高温での絶縁部材５２の熱的安全性を補うことができ、二次電池の安全性を高めることができる。
【００５５】
以上説明したように、本発明の最も好ましい実施の形態について説明したが、本発明は、上記記載に限定されるものではなく、特許請求の範囲に記載され、又は明細書に開示された発明の要旨に基づき、当業者において様々な変形や変更が可能なのはもちろんであり、斯かる変形や変更が、本発明の範囲に含まれることは言うまでもない。
【符号の説明】
【００５６】
１０  二次電池、
２０  電池ケース、
１００、２００、３００  電極組立体、
１１０  陽極板、
１２０  陰極板、
５０、５１、５２  絶縁部材
【図１】
0005496978.tif 000002
【図２】
0005496978.tif 000003
【図３】
0005496978.tif 000004
【図４】
0005496978.tif 000005
【図５】
0005496978.tif 000006